【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
遊技領域に設けられた第１始動領域に遊技球が進入した後に第１開始条件が成立したことに基づいて各々が識別可能な複数種類の識別情報の可変表示を行い表示結果を導出表示する第１可変表示手段と、遊技領域に設けられた第２始動領域に遊技球が進入した後に第２開始条件が成立したことに基づいて各々が識別可能な複数種類の識別情報の可変表示を行い表示結果を導出表示する第２可変表示手段とを備え、前記第１可変表示手段及び前記第２可変表示手段のいずれかにおける識別情報の表示結果が予め定められた特定表示結果となったときに、遊技者にとって有利な特定遊技状態に制御する遊技機であって、
前記特定遊技状態には、
第１特定遊技状態と、
前記第１特定遊技状態よりも遊技者にとって不利な第２特定遊技状態と、があり、
前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段と、
普通変動条件が成立したことに基づいて各々が識別可能な複数種類の普通識別情報の可変表示を行い表示結果を導出表示する普通可変表示手段と、
普通識別情報の表示結果が予め定められた所定表示結果となったときに、前記第２始動領域に遊技球が進入しがたい第１状態から遊技球が進入しやすい第２状態に変化する可変始動装置と、
前記第１可変表示手段における識別情報の可変表示よりも、前記第２可変表示手段における識別情報の可変表示を優先して実行する可変表示制御手段と、
前記特定遊技状態が終了してから所定条件が成立するまでの高開放制御期間において、前記可変始動装置が前記第２状態に変化する頻度を高くする高開放制御を行う高開放制御手段と、
前記第１可変表示手段及び前記第２可変表示手段のいずれかにおける識別情報の可変表示時間を決定する可変表示時間決定手段と、
前記特定遊技状態に制御される可能性を示唆する示唆演出を実行する演出実行手段とを備え、
前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか、または、前記第２特定遊技状態には決定せず、
前記可変表示時間決定手段は、前記高開放制御期間であるときに、当該高開放制御期間中に開始される可変表示について、前記第１可変表示手段における識別情報の可変表示時間を、前記第２可変表示手段における識別情報の可変表示時間に比べて長い時間に決定し、
前記演出実行手段は、前記事前決定手段によって前記第１特定遊技状態に制御すると決定されたときに、前記第２特定遊技状態に制御すると決定されたときよりも高い割合で、前記示唆演出を実行する、
ことを特徴とする遊技機。
【請求項２】
遊技領域に設けられた第１始動領域に遊技球が進入した後に第１開始条件が成立したことに基づいて各々が識別可能な複数種類の識別情報の可変表示を行い表示結果を導出表示する第１可変表示手段と、遊技領域に設けられた第２始動領域に遊技球が進入した後に第２開始条件が成立したことに基づいて各々が識別可能な複数種類の識別情報の可変表示を行い表示結果を導出表示する第２可変表示手段とを備え、前記第１可変表示手段及び前記第２可変表示手段のいずれかにおける識別情報の表示結果が予め定められた特定表示結果となったときに、遊技者にとって有利な特定遊技状態に制御する遊技機であって、
前記特定遊技状態には、
第１特定遊技状態と、
前記第１特定遊技状態よりも遊技者にとって不利な第２特定遊技状態と、があり、
前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段と、
普通変動条件が成立したことに基づいて各々が識別可能な複数種類の普通識別情報の可変表示を行い表示結果を導出表示する普通可変表示手段と、
普通識別情報の表示結果が予め定められた所定表示結果となったときに、前記第２始動領域に遊技球が進入しがたい第１状態から遊技球が進入しやすい第２状態に変化する可変始動装置と、
前記第１可変表示手段における識別情報の可変表示よりも、前記第２可変表示手段における識別情報の可変表示を優先して実行する可変表示制御手段と、
前記特定遊技状態が終了してから所定条件が成立するまでの高開放制御期間において、前記可変始動装置が前記第２状態に変化する頻度を高くする高開放制御を行う高開放制御手段と、
前記第１始動領域に遊技球が進入したが前記第１開始条件は成立していない可変表示の保留データと、前記第２始動領域に遊技球が進入したが前記第２開始条件は成立していない可変表示の保留データとを、上限数に達するまで記憶する保留記憶手段と、
前記第１可変表示手段及び前記第２可変表示手段のいずれかにおける識別情報の可変表示時間を決定する可変表示時間決定手段と、
前記特定遊技状態に制御される可能性を示唆する示唆演出を実行する演出実行手段とを備え、
前記可変表示時間決定手段は、前記保留データの記憶数が所定数に達したときに開始される可変表示につき、識別情報の可変表示時間を短縮する可変表示短縮制御手段を含み、
前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか、または、前記第２特定遊技状態には決定せず、
前記可変表示時間決定手段は、前記高開放制御期間であるときに、当該高開放制御期間中に開始される可変表示について、前記第１可変表示手段における識別情報の可変表示時間を、前記保留データの記憶数が前記所定数に達しているときでも前記可変表示短縮制御手段によって短縮せず、前記保留データの記憶数が前記所定数に達していないときに開始される可変表示と同様に決定し、
前記演出実行手段は、前記事前決定手段によって前記第１特定遊技状態に制御すると決定されたときに、前記第２特定遊技状態に制御すると決定されたときよりも高い割合で、前記示唆演出を実行する、
ことを特徴とする遊技機。
【請求項３】
遊技領域に設けられた第１始動領域に遊技球が進入した後に第１開始条件が成立したことに基づいて各々が識別可能な複数種類の識別情報の可変表示を行い表示結果を導出表示する第１可変表示手段と、遊技領域に設けられた第２始動領域に遊技球が進入した後に第２開始条件が成立したことに基づいて各々が識別可能な複数種類の識別情報の可変表示を行い表示結果を導出表示する第２可変表示手段とを備え、前記第１可変表示手段及び前記第２可変表示手段のいずれかにおける識別情報の表示結果が予め定められた特定表示結果となったときに、遊技者にとって有利な特定遊技状態に制御する遊技機であって、
前記特定遊技状態には、
第１特定遊技状態と、
前記第１特定遊技状態よりも遊技者にとって不利な第２特定遊技状態と、があり、
前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段と、
普通変動条件が成立したことに基づいて各々が識別可能な複数種類の普通識別情報の可変表示を行い表示結果を導出表示する普通可変表示手段と、
普通識別情報の表示結果が予め定められた所定表示結果となったときに、前記第２始動領域に遊技球が進入しがたい第１状態から遊技球が進入しやすい第２状態に変化する可変始動装置と、
前記第１可変表示手段における識別情報の可変表示よりも、前記第２可変表示手段における識別情報の可変表示を優先して実行する可変表示制御手段と、
前記特定遊技状態が終了してから所定条件が成立するまでの高開放制御期間において、前記可変始動装置が前記第２状態に変化する頻度を高くする高開放制御を行う高開放制御手段と、
前記第１可変表示手段及び前記第２可変表示手段のいずれかにおける識別情報の可変表示時間を決定する可変表示時間決定手段と、
前記特定遊技状態に制御される可能性を示唆する示唆演出を実行する演出実行手段とを備え、
前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか、または、前記第２特定遊技状態には決定せず、
前記可変表示時間決定手段は、前記高開放制御期間であるときに、当該高開放制御期間中に開始される可変表示について、前記第１可変表示手段における識別情報の可変表示時間を、普通識別情報の可変表示時間に比べて長い時間に決定し、
前記演出実行手段は、前記事前決定手段によって前記第１特定遊技状態に制御すると決定されたときに、前記第２特定遊技状態に制御すると決定されたときよりも高い割合で、前記示唆演出を実行することに決定する、
ことを特徴とする遊技機。
【請求項４】
遊技領域に設けられた第１始動領域に遊技球が進入した後に第１開始条件が成立したことに基づいて各々が識別可能な複数種類の識別情報の可変表示を行い表示結果を導出表示する第１可変表示手段と、遊技領域に設けられた第２始動領域に遊技球が進入した後に第２開始条件が成立したことに基づいて各々が識別可能な複数種類の識別情報の可変表示を行い表示結果を導出表示する第２可変表示手段とを備え、前記第１可変表示手段及び前記第２可変表示手段のいずれかにおける識別情報の表示結果が予め定められた特定表示結果となったときに、遊技者にとって有利な特定遊技状態に制御する遊技機であって、
前記特定遊技状態には、
第１特定遊技状態と、
前記第１特定遊技状態よりも遊技者にとって不利な第２特定遊技状態と、があり、
前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段と、
普通変動条件が成立したことに基づいて各々が識別可能な複数種類の普通識別情報の可変表示を行い表示結果を導出表示する普通可変表示手段と、
普通識別情報の表示結果が予め定められた所定表示結果となったときに、前記第２始動領域に遊技球が進入しがたい第１状態から遊技球が進入しやすい第２状態に変化する可変始動装置と、
前記第１可変表示手段における識別情報の可変表示よりも、前記第２可変表示手段における識別情報の可変表示を優先して実行する可変表示制御手段と、
前記特定遊技状態が終了してから所定条件が成立するまでの高開放制御期間において、前記可変始動装置が前記第２状態に変化する頻度を高くする高開放制御を行う高開放制御手段と、
前記第２始動領域に遊技球が進入したが前記第２開始条件は成立していない可変表示の保留データとを、上限数に達するまで記憶する保留記憶手段と、
前記第１可変表示手段及び前記第２可変表示手段のいずれかにおける識別情報の可変表示時間を決定する可変表示時間決定手段と、
前記特定遊技状態に制御される可能性を示唆する示唆演出を実行する演出実行手段とを備え、
前記可変表示時間決定手段は、前記高開放制御期間であるときに、当該高開放制御期間中に開始される可変表示につき、識別情報の可変表示時間を短縮する時間短縮制御を行う時間短縮制御手段を含み、
前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか、または、前記第２特定遊技状態には決定せず、
前記可変表示時間決定手段は、前記高開放制御期間において前記保留データの記憶数が所定数未満であるときに開始される可変表示について、前記第１可変表示手段における識別情報の可変表示時間を前記時間短縮制御手段によって短縮せず、前記高開放制御期間以外の期間と同様に決定し、
前記演出実行手段は、前記事前決定手段によって前記第１特定遊技状態に制御すると決定されたときに、前記第２特定遊技状態に制御すると決定されたときよりも高い割合で、前記示唆演出を実行する、
ことを特徴とする遊技機。
【請求項５】
遊技領域に設けられた第１始動領域に遊技球が進入した後に第１開始条件が成立したことに基づいて各々が識別可能な複数種類の識別情報の可変表示を行い表示結果を導出表示する第１可変表示手段と、遊技領域に設けられた第２始動領域に遊技球が進入した後に第２開始条件が成立したことに基づいて各々が識別可能な複数種類の識別情報の可変表示を行い表示結果を導出表示する第２可変表示手段とを備え、前記第１可変表示手段及び前記第２可変表示手段のいずれかにおける識別情報の表示結果が予め定められた特定表示結果となったときに、遊技者にとって有利な特定遊技状態に制御する遊技機であって、
前記特定遊技状態には、
第１特定遊技状態と、
前記第１特定遊技状態よりも遊技者にとって不利な第２特定遊技状態と、があり、
前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段と、
普通変動条件が成立したことに基づいて各々が識別可能な複数種類の普通識別情報の可変表示を行い表示結果を導出表示する普通可変表示手段と、
普通識別情報の表示結果が予め定められた所定表示結果となったときに、前記第２始動領域に遊技球が進入しがたい第１状態から遊技球が進入しやすい第２状態に変化する可変始動装置と、
前記第１可変表示手段における識別情報の可変表示よりも、前記第２可変表示手段における識別情報の可変表示を優先して実行する可変表示制御手段と、
前記特定遊技状態が終了してから所定条件が成立するまでの高開放制御期間において、前記可変始動装置が前記第２状態に変化する頻度を高くする高開放制御を行う高開放制御手段と、
前記第１可変表示手段及び前記第２可変表示手段のいずれかにおける識別情報の可変表示時間を決定する可変表示時間決定手段と、
前記特定遊技状態に制御される可能性を示唆する示唆演出を実行する演出実行手段とを備え、
前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか、または、前記第２特定遊技状態には決定せず、
前記可変表示時間決定手段は、前記高開放制御期間であるときに、当該高開放制御期間中に開始される可変表示について、前記第１可変表示手段における識別情報の可変表示時間として、前記第２可変表示手段における識別情報の可変表示時間に比べて長い時間が決定されやすく、
前記演出実行手段は、前記事前決定手段によって前記第１特定遊技状態に制御すると決定されたときに、前記第２特定遊技状態に制御すると決定されたときよりも高い割合で、前記示唆演出を実行する、
ことを特徴とする遊技機。
【手続補正２】
【補正対象書類名】明細書
【補正対象項目名】０００９
【補正方法】変更
【補正の内容】
【０００９】
上記目的を達成するため、本願の第１の観点に係る遊技機は、遊技領域に設けられた第１始動領域（例えば普通入賞球装置６Ａが形成する第１始動入賞口など）に遊技球が進入した後に第１開始条件（例えばステップＳ２３６にてＮｏと判定されたことなど）が成立したことに基づいて各々が識別可能な複数種類の識別情報（例えば第１特図など）の可変表示を行い表示結果を導出表示する第１可変表示手段（例えば第１特別図柄表示装置４Ａなど）と、遊技領域に設けられた第２始動領域（例えば普通可変入賞球装置６Ｂが形成する第２始動入賞口など）に遊技球が進入した後に第２開始条件（例えばステップＳ２３１にてＮｏと判定されたことなど）が成立したことに基づいて各々が識別可能な複数種類の識別情報（例えば第２特図など）の可変表示を行い表示結果を導出表示する第２可変表示手段（例えば第２特別図柄表示装置４Ｂなど）とを備え、前記第１可変表示手段及び前記第２可変表示手段のいずれかにおける識別情報の表示結果が予め定められた特定表示結果（例えば大当り図柄など）となったときに、遊技者にとって有利な特定遊技状態（例えば大当り遊技状態など）に制御する遊技機（例えばパチンコ遊技機１など）であって、前記特定遊技状態には、第１特定遊技状態（例えば大当り種別が「第１大当り」や「第２大当り」であるときの大当り遊技状態など）と、前記第１特定遊技状態よりも遊技者にとって不利な第２特定遊技状態（例えば大当り種別が「第３大当り」や「第４大当り」であるときの大当り遊技状態など）と、があり、前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段（例えばＣＰＵ１０３がステップＳ２３５、Ｓ２４０、Ｓ２４２〜Ｓ２４６の処理を実行する部分など）と、普通変動条件が成立したことに基づいて各々が識別可能な複数種類の普通識別情報（例えば普通図柄など）の可変表示を行い表示結果を導出表示する普通可変表示手段（例えば普通図柄表示器２０など）と、普通識別情報の表示結果が予め定められた所定表示結果（例えば普図当りなど）となったときに、前記第２始動領域に遊技球が進入しがたい第１状態（例えば通常開放状態あるいは閉鎖状態など）から遊技球が進入しやすい第２状態（例えば拡大開放状態あるいは開放状態など）に変化する可変始動装置（例えば普通可変入賞球装置６Ｂなど）と、前記第１可変表示手段における識別情報の可変表示よりも、前記第２可変表示手段における識別情報の可変表示を優先して実行する可変表示制御手段（例えばＣＰＵ１０３がステップＳ２３１におけるＹｅｓの判定に基づきステップＳ２３６〜Ｓ２４０の処理を実行する部分など）と、前記特定遊技状態が終了してから所定条件が成立するまでの高開放制御期間において、前記可変始動装置が前記第２状態に変化する頻度を高くする高開放制御を行う高開放制御手段（例えばＣＰＵ１０３がステップＳ３２５、Ｓ３２７、Ｓ３２８の処理のいずれかを実行した後、ステップＳ３０８の処理が実行されるまでにステップＳ１４１にて実行した普通図柄判定処理、あるいは、ステップＳ３１１にて時短終了と判定されるまでにステップＳ１４１にて実行した普通図柄判定処理に基づき、ステップＳ１４４の普通電動役物作動処理を実行する部分など）と、前記第１可変表示手段及び前記第２可変表示手段のいずれかにおける識別情報の可変表示時間を決定する可変表示時間決定手段と、前記特定遊技状態に制御される可能性を示唆する示唆演出を実行する演出実行手段とを備え、前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか（例えば大当り種別決定用データ１３１では、変動特図指定バッファ値が「１」であれば第２大当りに対して乱数値ＭＲ２が割り振られておらず第４大当りに対して乱数値ＭＲ２が割り振られている一方で、変動特図指定バッファ値が「２」であれば第２大当りに対して乱数値ＭＲ２が割り振られ第４大当りに対して乱数値ＭＲ２が割り振られていない部分など）、または、前記第２特定遊技状態には決定せず、前記可変表示時間決定手段は、前記高開放制御期間であるときに、当該高開放制御期間中に開始される可変表示について、前記第１可変表示手段における識別情報の可変表示時間を、前記第２可変表示手段における識別情報の可変表示時間に比べて長い時間に決定し（例えばＣＰＵ１０３がステップＳ２７６の処理で、図１７（Ｂ）に示す非リーチハズレ用変動パターン判定用データ１３８Ｂや図１７（Ｃ）に示す非リーチハズレ用変動パターン判定用データ１３８Ｃに基づき変動パターンを決定する部分など）、前記演出実行手段は、前記事前決定手段によって前記第１特定遊技状態に制御すると決定されたときに、前記第２特定遊技状態に制御すると決定されたときよりも高い割合で、前記示唆演出を実行する。
このような構成によれば、高開放制御期間であるときに、当該高開放制御期間中に開始される可変表示について、第１可変表示手段における識別情報の可変表示時間が、第２可変表示手段における識別情報の可変表示時間に比べて長い時間に設定される。これにより、高開放制御が行われる特定の遊技状態となった直後に生じる不利益を低減して遊技興趣を向上させることができる。
【手続補正３】
【補正対象書類名】明細書
【補正対象項目名】００１０
【補正方法】変更
【補正の内容】
【００１０】
上記目的を達成するため、本願の第２の観点に係る遊技機は、遊技領域に設けられた第１始動領域（例えば普通入賞球装置６Ａが形成する第１始動入賞口など）に遊技球が進入した後に第１開始条件（例えばステップＳ２３６にてＮｏと判定されたことなど）が成立したことに基づいて各々が識別可能な複数種類の識別情報（例えば第１特図など）の可変表示を行い表示結果を導出表示する第１可変表示手段（例えば第１特別図柄表示装置４Ａなど）と、遊技領域に設けられた第２始動領域（例えば普通可変入賞球装置６Ｂが形成する第２始動入賞口など）に遊技球が進入した後に第２開始条件（例えばステップＳ２３１にてＮｏと判定されたことなど）が成立したことに基づいて各々が識別可能な複数種類の識別情報（例えば第２特図など）の可変表示を行い表示結果を導出表示する第２可変表示手段（例えば第２特別図柄表示装置４Ｂなど）とを備え、前記第１可変表示手段及び前記第２可変表示手段のいずれかにおける識別情報の表示結果が予め定められた特定表示結果（例えば大当り図柄など）となったときに、遊技者にとって有利な特定遊技状態（例えば大当り遊技状態など）に制御する遊技機（例えばパチンコ遊技機１など）であって、前記特定遊技状態には、第１特定遊技状態（例えば大当り種別が「第１大当り」や「第２大当り」であるときの大当り遊技状態など）と、前記第１特定遊技状態よりも遊技者にとって不利な第２特定遊技状態（例えば大当り種別が「第３大当り」や「第４大当り」であるときの大当り遊技状態など）と、があり、前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段（例えばＣＰＵ１０３がステップＳ２３５、Ｓ２４０、Ｓ２４２〜Ｓ２４６の処理を実行する部分など）と、普通変動条件が成立したことに基づいて各々が識別可能な複数種類の普通識別情報（例えば普通図柄など）の可変表示を行い表示結果を導出表示する普通可変表示手段（例えば普通図柄表示器２０など）と、普通識別情報の表示結果が予め定められた所定表示結果（例えば普図当りなど）となったときに、前記第２始動領域に遊技球が進入しがたい第１状態（例えば通常開放状態あるいは閉鎖状態など）から遊技球が進入しやすい第２状態（例えば拡大開放状態あるいは開放状態など）に変化する可変始動装置（例えば普通可変入賞球装置６Ｂなど）と、前記第１可変表示手段における識別情報の可変表示よりも、前記第２可変表示手段における識別情報の可変表示を優先して実行する可変表示制御手段（例えばＣＰＵ１０３がステップＳ２３１におけるＹｅｓの判定に基づきステップＳ２３６〜Ｓ２４０の処理を実行する部分など）と、前記特定遊技状態が終了してから所定条件が成立するまでの高開放制御期間において、前記可変始動装置が前記第２状態に変化する頻度を高くする高開放制御を行う高開放制御手段（例えばＣＰＵ１０３がステップＳ３２５、Ｓ３２７、Ｓ３２８の処理のいずれかを実行した後、ステップＳ３０８の処理が実行されるまでにステップＳ１４１にて実行した普通図柄判定処理、あるいは、ステップＳ３１１にて時短終了と判定されるまでにステップＳ１４１にて実行した普通図柄判定処理に基づき、ステップＳ１４４の普通電動役物作動処理を実行する部分など）と、前記第１始動領域に遊技球が進入したが前記第１開始条件は成立していない可変表示の保留データと、前記第２始動領域に遊技球が進入したが前記第２開始条件は成立していない可変表示の保留データとを、上限数に達するまで記憶する保留記憶手段（例えば第１特図保留記憶部１５１Ａ及び第２特図保留記憶部１５１Ｂなど）と、前記第１可変表示手段及び前記第２可変表示手段のいずれかにおける識別情報の可変表示時間を決定する可変表示時間決定手段と、前記特定遊技状態に制御される可能性を示唆する示唆演出を実行する演出実行手段とを備え、前記可変表示制御手段は、前記保留データの記憶数が所定数に達したときに開始される可変表示につき、識別情報の可変表示時間を短縮する可変表示短縮制御手段（例えば合計保留記憶数が「４」以上であるときに、ＣＰＵ１０３がステップＳ２７３にて非リーチハズレ用変動パターン種別判定用データ１３５Ａ〜１３５Ｃのいずれかを参照して変動パターン種別を複数種類のいずれかに決定した後、ステップＳ２７４〜Ｓ２７７の処理を実行する部分など）を含み、前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか（例えば大当り種別決定用データ１３１では、変動特図指定バッファ値が「１」であれば第２大当りに対して乱数値ＭＲ２が割り振られておらず第４大当りに対して乱数値ＭＲ２が割り振られている一方で、変動特図指定バッファ値が「２」であれば第２大当りに対して乱数値ＭＲ２が割り振られ第４大当りに対して乱数値ＭＲ２が割り振られていない部分など）、または、前記第２特定遊技状態には決定せず、前記可変表示時間決定手段は、前記高開放制御期間であるときに、当該高開放制御期間中に開始される可変表示について、前記第１可変表示手段における識別情報の可変表示時間を、前記保留データの記憶数が前記所定数に達しているときでも前記可変表示短縮制御手段によって短縮せず、前記保留データの記憶数が前記所定数に達していないときに開始される可変表示と同様に決定し（例えば確変状態や時短状態であるときに、ＣＰＵ１０３がステップＳ２７１の処理にて、変動特図指定バッファ値が“１”であれば、合計保留記憶数にかかわりなく、非リーチハズレ用変動パターン種別判定用データにおける合計保留記憶数が「３」以下に対応した箇所を参照して、変動パターン種別を複数種類のいずれかに決定する部分など）、前記演出実行手段は、前記事前決定手段によって前記第１特定遊技状態に制御すると決定されたときに、前記第２特定遊技状態に制御すると決定されたときよりも高い割合で、前記示唆演出を実行する。
このような構成によれば、高開放制御期間であるときに、当該高開放制御期間中に開始される可変表示について、第１可変表示手段における識別情報の可変表示時間は、保留記憶の数が所定値に達したときでも短縮せず、所定値に達していないときに開始される可変表示と同様に設定される。これにより、高開放制御期間であるときには、第１可変表示手段における識別情報の可変表示時間が、第２可変表示手段における識別情報の可変表示時間に比べて長い時間に設定される可能性が高められ、高開放制御が行われる特定の遊技状態となった直後に生じる不利益を低減して遊技興趣を向上させることができる。
【手続補正４】
【補正対象書類名】明細書
【補正対象項目名】００１１
【補正方法】変更
【補正の内容】
【００１１】
上記目的を達成するため、本願の第３の観点に係る遊技機は、遊技領域に設けられた第１始動領域（例えば普通入賞球装置６Ａが形成する第１始動入賞口など）に遊技球が進入した後に第１開始条件（例えばステップＳ２３６にてＮｏと判定されたことなど）が成立したことに基づいて各々が識別可能な複数種類の識別情報（例えば第１特図など）の可変表示を行い表示結果を導出表示する第１可変表示手段（例えば第１特別図柄表示装置４Ａなど）と、遊技領域に設けられた第２始動領域（例えば普通可変入賞球装置６Ｂが形成する第２始動入賞口など）に遊技球が進入した後に第２開始条件（例えばステップＳ２３１にてＮｏと判定されたことなど）が成立したことに基づいて各々が識別可能な複数種類の識別情報（例えば第２特図など）の可変表示を行い表示結果を導出表示する第２可変表示手段（例えば第２特別図柄表示装置４Ｂなど）とを備え、前記第１可変表示手段及び前記第２可変表示手段のいずれかにおける識別情報の表示結果が予め定められた特定表示結果（例えば大当り図柄など）となったときに、遊技者にとって有利な特定遊技状態（例えば大当り遊技状態など）に制御する遊技機（例えばパチンコ遊技機１など）であって、前記特定遊技状態には、第１特定遊技状態（例えば大当り種別が「第１大当り」や「第２大当り」であるときの大当り遊技状態など）と、前記第１特定遊技状態よりも遊技者にとって不利な第２特定遊技状態（例えば大当り種別が「第３大当り」や「第４大当り」であるときの大当り遊技状態など）と、があり、前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段（例えばＣＰＵ１０３がステップＳ２３５、Ｓ２４０、Ｓ２４２〜Ｓ２４６の処理を実行する部分など）と、普通変動条件が成立したことに基づいて各々が識別可能な複数種類の普通識別情報（例えば普通図柄など）の可変表示を行い表示結果を導出表示する普通可変表示手段（例えば普通図柄表示器２０など）と、普通識別情報の表示結果が予め定められた所定表示結果（例えば普図当りなど）となったときに、前記第２始動領域に遊技球が進入しがたい第１状態（例えば通常開放状態あるいは閉鎖状態など）から遊技球が進入しやすい第２状態（例えば拡大開放状態あるいは開放状態など）に変化する可変始動装置（例えば普通可変入賞球装置６Ｂなど）と、前記第１可変表示手段における識別情報の可変表示よりも、前記第２可変表示手段における識別情報の可変表示を優先して実行する可変表示制御手段（例えばＣＰＵ１０３がステップＳ２３１におけるＹｅｓの判定に基づきステップＳ２３６〜Ｓ２４０の処理を実行する部分など）と、前記特定遊技状態が終了してから所定条件が成立するまでの高開放制御期間において、前記可変始動装置が前記第２状態に変化する頻度を高くする高開放制御を行う高開放制御手段（例えばＣＰＵ１０３がステップＳ３２５、Ｓ３２７、Ｓ３２８の処理のいずれかを実行した後、ステップＳ３０８の処理が実行されるまでにステップＳ１４１にて実行した普通図柄判定処理、あるいは、ステップＳ３１１にて時短終了と判定されるまでにステップＳ１４１にて実行した普通図柄判定処理に基づき、ステップＳ１４４の普通電動役物作動処理を実行する部分など）と、前記第１可変表示手段及び前記第２可変表示手段のいずれかにおける識別情報の可変表示時間を決定する可変表示時間決定手段と、前記特定遊技状態に制御される可能性を示唆する示唆演出を実行する演出実行手段とを備え、前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか（例えば大当り種別決定用データ１３１では、変動特図指定バッファ値が「１」であれば第２大当りに対して乱数値ＭＲ２が割り振られておらず第４大当りに対して乱数値ＭＲ２が割り振られている一方で、変動特図指定バッファ値が「２」であれば第２大当りに対して乱数値ＭＲ２が割り振られ第４大当りに対して乱数値ＭＲ２が割り振られていない部分など）、または、前記第２特定遊技状態には決定せず、前記可変表示時間決定手段は、前記高開放制御期間であるときに、当該高開放制御期間中に開始される可変表示について、前記第１可変表示手段における識別情報の可変表示時間を、普通識別情報の可変表示時間に比べて長い時間に決定し（例えば図１７（Ｂ）に示す非リーチハズレ用変動パターン判定用データ１３８Ｂでは、非リーチＢ１−１や非リーチＢ１−２の変動パターン種別に対応して決定される非リーチ５や非リーチ６の変動パターンにおける特図変動時間が、図１８に示す普図表示結果判定用データ１３９にて時短フラグがオフであるときの普図変動時間ＴＨ１、ＴＨ２よりも長い時間に設定されている部分や、図１７（Ｃ）に示す非リーチハズレ用変動パターン判定用データ１３８Ｃでは、非リーチＣ１−１や非リーチＣ１−２の変動パターン種別に対応して決定される非リーチ９や非リーチ１０の変動パターンにおける特図変動時間が、図１８に示す普図表示結果判定用データ１３９にて時短フラグがオフであるときの普図変動時間ＴＨ１、ＴＨ２よりも長い時間に設定されている部分など）、前記演出実行手段は、前記事前決定手段によって前記第１特定遊技状態に制御すると決定されたときに、前記第２特定遊技状態に制御すると決定されたときよりも高い割合で、前記示唆演出を実行する。
このような構成によれば、高開放制御期間であるときに、当該高開放制御期間中に開始される可変表示について、第１可変表示手段における識別情報の可変表示時間が、高開放制御期間以外の期間における普通識別情報の可変表示時間に比べて長い時間に設定される。これにより、高開放制御が行われる特定の遊技状態となった直後に生じる不利益を低減して遊技興趣を向上させることができる。
【手続補正５】
【補正対象書類名】明細書
【補正対象項目名】００１２
【補正方法】変更
【補正の内容】
【００１２】
上記目的を達成するため、本願の第４の観点に係る遊技機は、遊技領域に設けられた第１始動領域（例えば普通入賞球装置６Ａが形成する第１始動入賞口など）に遊技球が進入した後に第１開始条件（例えばステップＳ２３６にてＮｏと判定されたことなど）が成立したことに基づいて各々が識別可能な複数種類の識別情報（例えば第１特図など）の可変表示を行い表示結果を導出表示する第１可変表示手段（例えば第１特別図柄表示装置４Ａなど）と、遊技領域に設けられた第２始動領域（例えば普通可変入賞球装置６Ｂが形成する第２始動入賞口など）に遊技球が進入した後に第２開始条件（例えばステップＳ２３１にてＮｏと判定されたことなど）が成立したことに基づいて各々が識別可能な複数種類の識別情報（例えば第２特図など）の可変表示を行い表示結果を導出表示する第２可変表示手段（例えば第２特別図柄表示装置４Ｂなど）とを備え、前記第１可変表示手段及び前記第２可変表示手段のいずれかにおける識別情報の表示結果が予め定められた特定表示結果（例えば大当り図柄など）となったときに、遊技者にとって有利な特定遊技状態（例えば大当り遊技状態など）に制御する遊技機（例えばパチンコ遊技機１など）であって、前記特定遊技状態には、第１特定遊技状態（例えば大当り種別が「第１大当り」や「第２大当り」であるときの大当り遊技状態など）と、前記第１特定遊技状態よりも遊技者にとって不利な第２特定遊技状態（例えば大当り種別が「第３大当り」や「第４大当り」であるときの大当り遊技状態など）と、があり、前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段（例えばＣＰＵ１０３がステップＳ２３５、Ｓ２４０、Ｓ２４２〜Ｓ２４６の処理を実行する部分など）と、普通変動条件が成立したことに基づいて各々が識別可能な複数種類の普通識別情報（例えば普通図柄など）の可変表示を行い表示結果を導出表示する普通可変表示手段（例えば普通図柄表示器２０など）と、普通識別情報の表示結果が予め定められた所定表示結果（例えば普図当りなど）となったときに、前記第２始動領域に遊技球が進入しがたい第１状態（例えば通常開放状態あるいは閉鎖状態など）から遊技球が進入しやすい第２状態（例えば拡大開放状態あるいは開放状態など）に変化する可変始動装置（例えば普通可変入賞球装置６Ｂなど）と、前記第１可変表示手段における識別情報の可変表示よりも、前記第２可変表示手段における識別情報の可変表示を優先して実行する可変表示制御手段（例えばＣＰＵ１０３がステップＳ２３１におけるＹｅｓの判定に基づきステップＳ２３６〜Ｓ２４０の処理を実行する部分など）と、前記特定遊技状態が終了してから所定条件が成立するまでの高開放制御期間において、前記可変始動装置が前記第２状態に変化する頻度を高くする高開放制御を行う高開放制御手段（例えばＣＰＵ１０３がステップＳ３２５、Ｓ３２７、Ｓ３２８の処理のいずれかを実行した後、ステップＳ３０８の処理が実行されるまでにステップＳ１４１にて実行した普通図柄判定処理、あるいは、ステップＳ３１１にて時短終了と判定されるまでにステップＳ１４１にて実行した普通図柄判定処理に基づき、ステップＳ１４４の普通電動役物作動処理を実行する部分など）と、前記第２始動領域に遊技球が進入したが前記第２開始条件は成立していない可変表示の保留データとを、上限数に達するまで記憶する保留記憶手段（例えば第２特図保留記憶部１５１Ｂなど）と、前記第１可変表示手段及び前記第２可変表示手段のいずれかにおける識別情報の可変表示時間を決定する可変表示時間決定手段と、前記特定遊技状態に制御される可能性を示唆する示唆演出を実行する演出実行手段とを備え、前記可変表示制御手段は、前記高開放制御期間であるときに、当該高開放制御期間中に開始される可変表示につき、識別情報の可変表示時間を短縮する時間短縮制御を行う時間短縮制御手段（例えばＣＰＵ１０３がステップＳ３２５、Ｓ３２７、Ｓ３２８の処理のいずれかを実行した後、ステップＳ３０８の処理が実行されるまでに、あるいは、ステップＳ３１１にて時短終了と判定されるまでに、ステップＳ２７３、Ｓ２７６の処理を実行した後、ステップＳ２７７の処理を実行する部分など）を含み、前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか（例えば大当り種別決定用データ１３１では、変動特図指定バッファ値が「１」であれば第２大当りに対して乱数値ＭＲ２が割り振られておらず第４大当りに対して乱数値ＭＲ２が割り振られている一方で、変動特図指定バッファ値が「２」であれば第２大当りに対して乱数値ＭＲ２が割り振られ第４大当りに対して乱数値ＭＲ２が割り振られていない部分など）、または、前記第２特定遊技状態には決定せず、前記可変表示時間決定手段は、前記高開放制御期間において前記保留データの記憶数が所定数未満であるときに開始される可変表示について、前記第１可変表示手段における識別情報の可変表示時間を前記時間短縮制御手段によって短縮せず、前記高開放制御期間以外の期間と同様に決定し（例えばＣＰＵ１０３がステップＳ２７１にて図７７（Ｂ）のテーブル選択設定に基づき変動パターン種別判定用データを設定する部分など）、前記演出実行手段は、前記事前決定手段によって前記第１特定遊技状態に制御すると決定されたときに、前記第２特定遊技状態に制御すると決定されたときよりも高い割合で、前記示唆演出を実行する。
このような構成によれば、高開放制御期間であるときには、時間短縮制御手段により識別情報の可変表示時間が短縮される。その一方で、時間短縮制御手段は、高開放制御期間において第２始動領域に遊技球が入賞した保留記憶の数が所定数未満であるときに開始される可変表示について、第１可変表示手段における識別情報の可変表示時間の短縮は行わず、高開放制御期間以外の期間と同様に設定する。これにより、高開放制御が行われる特定の遊技状態となった直後に生じる不利益を低減して遊技興趣を向上させることができる。
【手続補正６】
【補正対象書類名】明細書
【補正対象項目名】００１３
【補正方法】変更
【補正の内容】
【００１３】
上記目的を達成するため、本願の第５の観点に係る遊技機は、遊技領域に設けられた第１始動領域（例えば普通入賞球装置６Ａが形成する第１始動入賞口など）に遊技球が進入した後に第１開始条件（例えばステップＳ２３６にてＮｏと判定されたことなど）が成立したことに基づいて各々が識別可能な複数種類の識別情報（例えば第１特図など）の可変表示を行い表示結果を導出表示する第１可変表示手段（例えば第１特別図柄表示装置４Ａなど）と、遊技領域に設けられた第２始動領域（例えば普通可変入賞球装置６Ｂが形成する第２始動入賞口など）に遊技球が進入した後に第２開始条件（例えばステップＳ２３１にてＮｏと判定されたことなど）が成立したことに基づいて各々が識別可能な複数種類の識別情報（例えば第２特図など）の可変表示を行い表示結果を導出表示する第２可変表示手段（例えば第２特別図柄表示装置４Ｂなど）とを備え、前記第１可変表示手段及び前記第２可変表示手段のいずれかにおける識別情報の表示結果が予め定められた特定表示結果（例えば大当り図柄など）となったときに、遊技者にとって有利な特定遊技状態（例えば大当り遊技状態など）に制御する遊技機（例えばパチンコ遊技機１など）であって、前記特定遊技状態には、第１特定遊技状態（例えば大当り種別が「第１大当り」や「第２大当り」であるときの大当り遊技状態など）と、前記第１特定遊技状態よりも遊技者にとって不利な第２特定遊技状態（例えば大当り種別が「第３大当り」や「第４大当り」であるときの大当り遊技状態など）と、があり、前記第１始動領域及び前記第２始動領域のいずれかに遊技球が進入したことに基づいて、前記特定遊技状態に制御するか否かと、前記特定遊技状態に制御するときにいずれの特定遊技状態にするかとを、該進入に基づく識別情報の表示結果が導出表示される以前に決定する事前決定手段（例えばＣＰＵ１０３がステップＳ２３５、Ｓ２４０、Ｓ２４２〜Ｓ２４６の処理を実行する部分など）と、普通変動条件が成立したことに基づいて各々が識別可能な複数種類の普通識別情報（例えば普通図柄など）の可変表示を行い表示結果を導出表示する普通可変表示手段（例えば普通図柄表示器２０など）と、普通識別情報の表示結果が予め定められた所定表示結果（例えば普図当りなど）となったときに、前記第２始動領域に遊技球が進入しがたい第１状態（例えば通常開放状態あるいは閉鎖状態など）から遊技球が進入しやすい第２状態（例えば拡大開放状態あるいは開放状態など）に変化する可変始動装置（例えば普通可変入賞球装置６Ｂなど）と、前記第１可変表示手段における識別情報の可変表示よりも、前記第２可変表示手段における識別情報の可変表示を優先して実行する可変表示制御手段（例えばＣＰＵ１０３がステップＳ２３１におけるＹｅｓの判定に基づきステップＳ２３６〜Ｓ２４０の処理を実行する部分など）と、前記特定遊技状態が終了してから所定条件が成立するまでの高開放制御期間において、前記可変始動装置が前記第２状態に変化する頻度を高くする高開放制御を行う高開放制御手段（例えばＣＰＵ１０３がステップＳ３２５、Ｓ３２７、Ｓ３２８の処理のいずれかを実行した後、ステップＳ３０８の処理が実行されるまでにステップＳ１４１にて実行した普通図柄判定処理、あるいは、ステップＳ３１１にて時短終了と判定されるまでにステップＳ１４１にて実行した普通図柄判定処理に基づき、ステップＳ１４４の普通電動役物作動処理を実行する部分など）と、前記第１可変表示手段及び前記第２可変表示手段のいずれかにおける識別情報の可変表示時間を決定する可変表示時間決定手段と、前記特定遊技状態に制御される可能性を示唆する示唆演出を実行する演出実行手段とを備え、前記事前決定手段は、前記第２始動領域に遊技球が進入したことに基づいて前記特定遊技状態に制御すると決定したときには、前記第１始動領域に遊技球が進入したことに基づいて前記特定遊技状態に制御すると決定したときに比べて低い割合で前記第２特定遊技状態に決定するか（例えば大当り種別決定用データ１３１では、変動特図指定バッファ値が「１」であれば第２大当りに対して乱数値ＭＲ２が割り振られておらず第４大当りに対して乱数値ＭＲ２が割り振られている一方で、変動特図指定バッファ値が「２」であれば第２大当りに対して乱数値ＭＲ２が割り振られ第４大当りに対して乱数値ＭＲ２が割り振られていない部分など）、または、前記第２特定遊技状態には決定せず、前記可変表示時間決定手段は、前記高開放制御期間であるときに、当該高開放制御期間中に開始される可変表示について、前記第１可変表示手段における識別情報の可変表示時間として、前記第２可変表示手段における識別情報の可変表示時間に比べて長い時間が決定されやすく（例えばＣＰＵ１０３がステップＳ２７６の処理で、図７８（Ａ）に示す非リーチハズレ用変動パターン判定用データ１３８Ｂや図７８（Ｃ）に示す非リーチハズレ用変動パターン判定用データ１３８Ｃに基づき変動パターンを決定する部分など）前記演出実行手段は、前記事前決定手段によって前記第１特定遊技状態に制御すると決定されたときに、前記第２特定遊技状態に制御すると決定されたときよりも高い割合で、前記示唆演出を実行する。
このような構成によれば、高開放制御期間であるときに、当該高開放制御期間中に開始される可変表示について、第１可変表示手段における識別情報の可変表示時間として、第２可変表示手段における識別情報の可変表示時間に比べて長い時間が設定されやすい。これにより、高開放制御が行われる特定の遊技状態となった直後に生じる不利益を低減して遊技興趣を向上させることができる。